(57)【要約】  スクリーンに上映される画像シーケンスのコピーを識別（確認）する方法およびシステム。画像シーケンスとは別個に少なくとも１つの識別子がスクリーンを通して投写され、可視光線を使用して、識別子は画像シーケンスと共に表示される。識別子は周期的に間隔を置いて表示され、劇場所在地、日付および／または時刻を決定できる。上映される画像シーケンスの少なくとも一部の色調／照度が測定される。測定された照度／色調に基づいて、識別子の投写輝度／色調が決定される。また、識別子が投写されるスクリーン上の位置も決定できる。
2007503018.tif 000002
【特許請求の範囲】
【請求項１】
画像シーケンスのコピーにマークする（マークをつける）方法であって、
画像シーケンスをスクリーンに表示（上映）するステップと、
スクリーンの背後の位置から、可視光線を使用し、画像シーケンスとは別個の少なくとも１つの識別子をスクリーンを通して投写し、表示される画像シーケンスと共に識別子が表示されるようにするステップと、から成る、前記方法。
【請求項２】
少なくとも１つの識別子を表示する前記ステップが更に、
表示される画像シーケンスの少なくとも一部の照度を測定するステップと、
測定された照度に基づいて前記少なくとも１つの識別子の投写輝度を決定するステップと、を含む、請求項１記載の方法。
【請求項３】
前記測定された照度に基づいて少なくとも１つの識別子が投写されるスクリーン上の位置を決定するステップを更に含む、請求項２記載の方法。
【請求項４】
少なくとも１つの識別子を表示する前記ステップが更に、
表示される画像シーケンスの少なくとも一部に関連する光の色を測定するステップと、
測定された光の色に基づいて前記少なくとも１つの識別子の投写色を決定するステップと、を含む、請求項１記載の方法。
【請求項５】
前記測定された照度に基づいて少なくとも１つの識別子が投写されるスクリーン上の位置を決定するステップを更に含む、請求項４記載の方法。
【請求項６】
前記少なくとも１つの識別子が周期的に間隔を置いて表示される、請求項１記載の方法。
【請求項７】
前記少なくとも１つの識別子が、劇場所在地、日付および時刻からなるグループから選択される少なくとも１つのパラメータを規定する、請求項１記載の方法。
【請求項８】
投写された前記少なくとも１つの識別子がフォワード・エラー訂正コード（ｆｏｒｗａｒｄ  ｅｒｒｏｒ  ｃｏｒｒｅｃｔｉｏｎ：ＦＥＣ）を含むマーキング・データを表す、請求項１記載の方法。
【請求項９】
前記マーキング・データが、劇場識別子、日付および／または時刻のうち少なくとも１つを表す、請求項８記載の方法。
【請求項１０】
前記フォワード・エラー訂正コード（ＦＥＣ）が少なくとも幾つかのマーキング・データの排他的ＮＯＲ動作を表す、請求項８記載の方法。
【請求項１１】
前記画像シーケンスが映画である、請求項１記載の方法。
【請求項１２】
前記投写するステップが、少なくとも１つの識別子の投写を制御する際に使用するコマンドを伝達するステップを含む、請求項１記載の方法。
【請求項１３】
前記伝達するステップに３５ｍｍフィルムを使用する、請求項１２記載の方法。
【請求項１４】
前記伝達するステップにスクリーン広告プロジェクタを使用する、請求項１２記載の方法。
【請求項１５】
前記伝達するステップに手持ちのストロボスコープを使用する、請求項１２記載の方法。
【請求項１６】
画像シーケンスのコピーを識別するシステムであって、
可視光線を使用し、スクリーンに表示されている画像シーケンスとは別個の少なくとも１つの識別子をスクリーンを通して投写するパターン発生器を具え、表示される画像シーケンスと共に識別子が表示されるようにする、前記システム。  
【請求項１７】
前記少なくとも１つの識別子が一組の識別子から選択され、前記パターン発生器に結合されるプロセッサを具え、前記一組の識別子からの少なくとも１つの識別子の選択を制御する、請求項１６記載のシステム。
【請求項１８】
表示される画像シーケンスの少なくとも一部の照度を測定する検出器と、
測定された照度に基づいて少なくとも１つの識別子の投写輝度を決定するプロセッサと、を更に具える、請求項１６記載のシステム。
【請求項１９】
前記測定された照度に基づいて少なくとも１つの識別子が投写されるスクリーン上の位置をプロセッサが決定する、請求項１８記載のシステム。
【請求項２０】
前記検出器と前記プロセッサとがパターン発生器の中に収容される、請求項１８記載のシステム。
【請求項２１】
表示される画像シーケンスの少なくとも一部に関連する光の色を測定する検出器と、
測定された光の色に基づいて少なくとも１つの識別子の投写色を決定するプロセッサと、を更に具える、請求項１６記載のシステム。
【請求項２２】
測定された照度に基づいて少なくとも１つの識別子が投写されるスクリーン上の位置をプロセッサが決定する、請求項２１記載のシステム。
【請求項２３】
前記検出器と前記プロセッサとがパターン発生器の中に収容される、請求項２１記載のシステム。
【請求項２４】
前記少なくとも１つの識別子を周期的に間隔を置いて表示するよう構成される、請求項１６記載のシステム。
【請求項２５】
前記少なくとも１つの識別子が、劇場所在地、日付および時刻からなるグループから選択される少なくとも１つのパラメータを規定する、請求項１６記載のシステム。
【請求項２６】
投写された前記少なくとも１つの識別子が、ＦＥＣコードを含むマーキング・データを表す、請求項１６記載のシステム。
【請求項２７】
前記マーキング・データが劇場識別子、日付および／または時刻のうち少なくとも１つを表す、請求項２６記載のシステム。
【請求項２８】
前記ＦＥＣコードが少なくとも幾つかのマーキング・データの排他的ＮＯＲ動作を表す、請求項２６記載のシステム。
【請求項２９】
前記画像シーケンスが映画である、請求項１６記載のシステム。
【請求項３０】
前記パターン発生器が、少なくとも１つの識別子の投写を制御する際に使用するコマンドを受信する、請求項１６記載のシステム。
【請求項３１】
前記コマンドが３５ｍｍフィルムにより供給される、請求項３０記載のシステム。
【請求項３２】
前記コマンドがスクリーン広告プロジェクタにより供給される、請求項３０記載のシステム。
【請求項３３】
前記コマンドが手持ちのストロボスコープにより供給される、請求項３０記載のシステム。
【請求項３４】
記録が行われた方法を識別する方法であって、
記録された映画を再生し、その画像シーケンスを見るステップと、
可視光線を使用し、映画と共に表示されたマーキング・パターンを、画像シーケンスのうちの少なくとも１つにおいて識別するステップと、から成り、劇場所在地、日付および時刻からなるグループから選択される少なくとも１つのパラメータをマーキング・パターンで識別する、前記方法。
【請求項３５】
前記マーキング・パターンが劇場識別子、日付および／または時刻のうち少なくとも１つを表す、請求項３４記載の方法。
【請求項３６】
前記マーキング・パターンが、ＦＥＣコードを含むマーキング・データを表す、請求項３４記載の方法。
【請求項３７】
前記ＦＥＣコードが少なくとも幾つかのマーキング・データの排他的ＮＯＲ動作を表す、請求項３６記載の方法。
【請求項３８】
記録（録画）された映画を記録し、プロセッサでアクセスされると、記録された映画を再生する蓄積媒体であって、
映画を表す画像シーケンスを表す第１の部分を具え、
前記シーケンスのうちの少なくとも１つがその中に、可視光線を使用して映画と共に表示されたマーキング・パターンを含む、前記蓄積媒体。
【請求項３９】
前記蓄積媒体がＤＶＤ（ｄｉｇｉｔａｌ  ｖｅｒｓａｔｉｌｅ  ｄｉｓｃ）である、請求項３８記載の蓄積媒体。
【請求項４０】
前記蓄積媒体がカムコーダのテープである、請求項３８記載の蓄積媒体。
【請求項４１】
前記マーキング・パターンが劇場識別子、日付および／または時刻のうち少なくとも１つを表す、請求項３８記載の蓄積媒体。
【請求項４２】
前記マーキング・パターンが、ＦＥＣコードを含むマーキング・データを表す、請求項３８記載の蓄積媒体。
【請求項４３】
前記ＦＥＣコードが、少なくとも幾つかのマーキング・データの排他的ＮＯＲ動作を表す、請求項４２記載の蓄積媒体。
【発明の詳細な説明】
【技術分野】
【０００１】
本発明は、一般に、映画フィルムを不法なコピーから保護する分野に関し、特に、カムコーダで不法にコピーされるフィルム・ソースを識別／確認する方法に関する。
【背景技術】
【０００２】
映画フィルムの海賊版による著作権の侵害は広範囲にわたる問題である。フィルムの配給者が映画フィルムのプリントを劇場公開用に配給すると、その製作に関する管理がある程度失われる。フィルムが公開されると劇場内の観客は、例えば、手持ちのカムコーダでこっそり録画するかもしれない。もっと手の込んだレベルでは、フィルムのプリントを不法にコピーしようとする者は、映画館の従業員と結託して劇場の投写ブースに立ち入り、割合に管理された環境内で、時間外にフィルムのコピーを作ることもできる。このような環境では、投写装置からオーディオをカムコーダに直接入力できる。三脚を使用して明瞭で安定した画像を確保することもでき、不法なコピーが作られる。
【０００３】
１９８２年、ＭＰＡＡ（Ｍｏｔｉｏｎ  Ｐｉｃｔｕｒｅ  Ａｓｓｏｃａｔｉｏｎ  ｏｆ  Ａｍｅｒｉｃａ：米国映画協会）はＫｏｄａｋ社と共に、フィルム・プリントを独自に識別する技術を開発した。この技術は、ＣＡＰ（Ｃｏｄｅｄ  Ａｎｔｉ‐ｐｉｒａｃｙ：符号化された海賊版防止）コードとして一般に知られる。コードは一連のかすかなドットであり、プリントの製作時に画像内に付加される。１００フレームにつき約１フレームは画像に４個の小さいドットが付加される。一般に、映画プリントの一連番号を再構成するためにＣＡＰで符号化（コード化）された１１のフレームが必要とされる。特異なドット構成は各々、プリントの識別子に対応する。
【０００４】
フィルム・プリントは通常、フィルムが配給される各劇場ごとに符号化される。例えば、古い映画フィルムの上映を専門とする劇場でＣＡＰ符号化フィルムが再使用されると、不法なフィルム・プリントが作られている劇場の識別が不可能となる場合もある。従って、フィルムを上映する各劇場ごとに新しいプリントを製作しなければならないが、フィルム・プリントの製作は経費を要し、その後の再公開のために新しいフィルム・プリントの製作源となるポジフィルム（ｉｎｔｅｒｐｏｓｉｔｉｖｅ）のライブラリを維持するには費用がかかり面倒でもある。従って、フィルムがＣＡＰで符号化されるされないに関らず、フィルムの不法なコピーが作られる劇場を識別する方法が必要である。
【発明の開示】
【０００５】
（発明の概要）
本発明は、スクリーンに上映される画像シーケンス（ビデオまたは映画フィルム）のコピーを識別する（またはマークする）方法に関する。具体的に、スクリーンの背後の位置から、可視光線を使用して、画像シーケンスとは別個の少なくとも１つの識別子がスクリーンを通して投写され、識別子は画像シーケンスと共にスクリーンに表示される。識別子は、周期的に間隔を置いて表示され、劇場の所在地、日付および／または時刻を決定することができる。更に、画像シーケンスの少なくとも一部の照度／色調を測定することができる。測定された照度／色調に基づいて、その識別子について投写輝度／色調を決定することができる。スクリーンを通して識別子が投写される位置も決定できる。
【０００６】
本発明は、スクリーンに上映される画像シーケンスのコピーを識別する、またはマークする（コピーにマークをつける）システムを具える。システムは、画像シーケンスとは別個に少なくとも１つの識別子をスクリーンに投写するパターン発生器を具え、可視光線を使用して、識別子は画像シーケンスと共に表示される。識別子は、周期的に間隔を置いて表示され、劇場所在地、日付および／または時刻を決定できる。上映されるビデオの少なくとも一部の照度および／または色調を測定するために検出器も具えられる。また、測定された照度／色調に基づいて、識別子の投写輝度／色調を決定するためにプロセッサも具えられる。プロセッサは、測定された照度に基づいて、少なくとも１つの識別子が投写されるスクリーン上の位置を決定することもできる。プロセッサと検出器はパターン発生器の中に収容することができる。
【発明を実施するための最良の形態】
【０００７】
本発明による実施例は、ビデオ上映の間、投写スクリーン内のパーフォレーションを通して識別子を投写し、マーキング・パターン（ｍａｒｋｉｎｇ  ｐａｔｔｅｒｎ）を発生する方法に関し、ビデオが記録（録画）されると、マーキング・パターンも記録される。マーキング・パターンによって、ビデオが上映された場所または施設、並びにビデオが上映された日付と時刻を確認できる。ビデオが上映された施設の確認に加え、上映に使用された施設内の投写スクリーンも確認できる。従って、上映されるビデオからフィルムが不法にコピーされると、不法なコピーを判定し、それがいつどこで作られたのかを確かめることができる。この有利な光学的マーキングは、ビデオのプリント上ではなく、ビデオの上映中に実行されるので、その後別の場所でまたは別の目的に使用されるプリントのマーキングに関して問題の生じる可能性はない。
【０００８】
他のシステムでは、赤外線（ＩＲ）の光源を使用し、画像取得装置で得られた画像を劣化させる。多くの場合これでうまくいくが失敗も免れない。赤外線の波長に敏感でない画像取得装置もある。赤外線に敏感な装置は、市販のＩＲフィルタ（ＸＮｉｔｅＣＣ１３７：ＬＤＰ  Ｎｅｔ、Ｗｏｏｄｃｌｉｆｆ  Ｌａｋｅ  ＮＪ＠ｗｗｗ．ｍａｘｍａｘ．ｃｏｍ．が販売する）で赤外線の波長を遮蔽する。本発明の原理によれば、少量の可視光線を使用し、捕えられた画像内にマークを発生することにより、このようなフィルタの使用は防止され、マークが不正な画像取得装置の使用者に気づかれ除去される可能性は低くなる。
【０００９】
図１に、上映ビデオにマーキング・パターンを表示するシステム１００を示す。システム１００は、スクリーン・ルーム、編集施設、劇場、その他ビデオが上映される場所に配置される。大抵の映画館で、スクリーンにパーフォレーション（穴）があけられ、スクリーンの背後にスピーカを配置し、サウンドはパーフォレーションを通り投射されるが、光もパーフォレーションを通り投射する。従って、スクリーン１０５はパーフォレートされる。パターン発生器１１０はスクリーン１０５の背後に配置され、スクリーンを通して識別子を投写し、マーキング・パターンを表示する。重要なことに、本発明は、パーフォレートされサウンドの投射を容易にするこのようなスクリーンに限定されない。パーフォレーションは、光が少なくともいくらかスクリーンを通過できるだけの大きさであればよい。別の実施例で、スクリーン１０５は、少なくとも一部が透明な材料で作られる。
【００１０】
マーキング・パターンは、場所、日付、時間の情報で符号化されるので、画像取得装置（ｉｍａｇｅ  ｃａｐｔｕｒｅ  ｄｅｖｉｃｅ：ＩＣＤ）１５０で録画された上映ビデオの不法なコピーの中にマーキング・パターンを符号化することができる。マーキング・パターンは不法なコピーのフレーム内で検出できる。この構成で、著しい利点が幾つか得られる。例えば、パターン発生器１１０は、その動作を阻止または妨害しようとする者による干渉を排除または防止できるよう物理的に配置される。パターン発生器１１０は、見られる画像に黒レベルのシフトを生じないよう配置することができ、ウオームアップ期間を要しない光源１５５を使用できる。パターン発生器１１０は光源１５５を介してマーキング・パターン１５６をスクリーン１０５に投写する。
【００１１】
パターン発生器１１０は、バッテリのバックアップを有するＡＣ電源で起動できる。従って、劇場の慣例（ｕｓａｇｅ）に関りなく、連続的に運転できる。パターン発生器１１０で使用される電力量は非常に少なくされる。ＡＣ電源の中断後、最適設計により、何時間も、何日も、あるいは何週間も、バックアップ動作が得られる。
【００１２】
別の構成で、パターン発生器１１０は、識別子が投写されるスクリーン１０５上での輝度、色調、位置を適応修正できるので、観客への迷惑を回避し／最少限度にすると同時に画像取得装置１５０で形成される上映ビデオのコピーに耐久性のマークをつけるという矛盾する要件が緩和される。ビデオ上映の間、スクリーン１０５に入射する光の照度／色調は、入射光の照度／色調と相関するデータを発生する適当な検出器１６０（１個または複数個）で測定することができる。そのデータに基づいて、マーキング・パターンに使用される識別子の輝度／色調を選択することができるので、識別子は白い場面では十分に明るく目に見えるが、暗い場面では邪魔にならなくなる。
【００１３】
検出器１６０はスクリーン１０５の背後に配置され、スクリーンからパーフォレーションを通り伝播する光線１６５検出する。好ましい構成で、検出器１６０は、識別子が投写されるスクリーン１０５の１箇所または数個所で光を検出する。検出器１６０を調整し、発生されたデータとスクリーン１０５に入射する光の色調および／または照度とを相関させることができる。検出器１６０はパターン発生器１１０に動作的に接続される。例えばパターン発生器１１０は、検出器１６０から受信される照度／色調データを処理する処理装置（図示せず）を具え、識別子を適正な輝度／色調で投射する。また、識別子が投射されるスクリーン１０５上の位置を選択できる実施例において、データを使用し、現在表示されている場面の照度／色調の特性に基づいて識別子の最適配置を決定できる。とりわけ、検出器はパターン発生器の中に組み入れることができる。
【００１４】
図２に、パターン発生器１１０の発光面２１０の正面図を示す。パターン発生器１１０は、ＬＣＤ（液晶）ディスプレイ、ＬＣＯＳ（液晶オン・シリコン）ディスプレイ、プラズマ・ディスプレイ、陰極線管（ＣＲＴ）、または光のパターンを発生できる他のディスプレイである。好ましい実施例で、光のパターンの色調と強度は選択可能である。
【００１５】
図２に示すパターン発生器１１０は検出器を具えることもできる。検出器は、スクリーンから出る光線を映し出すフレーム・イメージング・カメラ・センサ（イメージング・センサ）２２０から成る。イメージング・センサ２２０で発生される画像（イメージ）信号は処理され、投写画像の照度／色調情報についてリアルタイムに近い空間的スクリーン・マップを発生する。このスクリーン・マップを処理し、パターン発生器１１０で発生される識別子の輝度と色調を適応制御でき、識別子の最適位置も決定できる。理想的には、イメージング・センサのピクチャ・レートは十分に高速で積分時間は十分に短く、プロジェクタの一度のシャッタ・オープニングからスクリーン・マップを設定でき、のちに現在のフィルム・フレームの露出の間に識別子を表示できる。イメージング・センサは、低い空間解像度を有する、高いフレーム・レートのイメージング・デバイスである。
【００１６】
図３にパターン発生器１１０の別の実施例を示す。この構成で、パターン発生器１１０は光源１５５、例えば、発光ダイオード（ＬＥＤ）、白熱電球、ネオン管、または光のパターンを発生するよう制御できる他の光源、の配列を具える。個々の光源１５５は色調を選択でき、強度を制御できる。
【００１７】
パターン発生器１１０は、イメージング・センサ２２０のような検出器を具えるが、スクリーンから出る光線を検出できる検出器３２０（１個または複数個）も具える。このような検出器は市販されており、例えば、Ｒａｍｓｅｙ、ＮＪ  ０７４４６の  Ｋｏｎｉｃａ  Ｍｉｎｏｌｔａ  Ｂｕｓｉｎｅｓｓ  Ｕ．Ｓ．Ａ．，Ｉｎｃ．から入手できる。検出器が複数の検出器３２０を具えると各検出器は１個または複数個の光源１５５に関連する。このような構成において、イメージング・センサ２２０は必要でない。図に示すパターン発生器１１０は１６個の光源１５５と１６個の検出器３２０を具えるが、本発明はこれに限定されず、任意の数の光源１５５と検出器３２０を具えることができる。例えば、より高い解像度が望まれるなら、もっと多数の光源１５５と検出器３２０を具えることができる。より低い解像度が受け入れられるなら、もっと少数の光源１５５と検出器３２０が具えられる。光源１５５と検出器３２０を１対１に対応させる必要はない。例えば、光源１５５よりも検出器３２０を多くまたは少なくすることもできる。
【００１８】
図２について、パターン発生器１１０の１つないし複数の機能は処理装置１３０で制御できる。処理装置１３０は、パーソナル・コンピュータ、ネットワーク・アプライアンス、あるいは信号１３１によりパターン発生器１１０用のオペレーティング・コマンドを発生できる他の適当な処理装置である。オペレーティング・コマンドは、無線でパターン発生器１１０に伝播され、または処理装置１３０に関連するポートまたはバスを介して伝播される。処理装置１３０は通信ネットワークに接続されるので、パターン発生器１１０の動作は、遠隔位置、例えば、劇場内の中央位置または劇場から遠く離れた場所から制御できる。パターン発生器１１０は、望まれるときに起動されまたは動作を断たれる。パターン発生器１１０は、パターン発生器１１０のサービスがリクエストされているビデオ上映のために起動されると共に、そのようなサービスがリクエストされていないビデオ上映については動作を断たれる。従って、パターン発生器１１０は収入源となる。実際、パターン発生器１１０はプロセッサ１３０で制御され、異なる識別子のパターンを一組の識別子から表示用に選択できる。一組の識別子には、通常の識別子または代りの識別子が含まれる。従って、プロセッサ１３０は一組の識別子から１つの識別子または複数の識別子の組合せを表示用に選択できる。
【００１９】
別の構成では、検出器１６０を使用して制御信号を検出し、二次プロジェクタ１９０からディジタル・データ・ストリームが検出器１６０に投写される。二次プロジェクタ１９０は、本編映画の上映に先立ち広告／補助番組の上映にしばしば使用される。二次プロジェクタ１９０は処理装置１３０からオペレーティング・コマンドを受信できる。代りに、３５ｍｍフィルム・プロジェクタ（映写機）１８５でスクリーンに投写される短い３５ｍｍフィルムを使用して制御できる。
【００２０】
別の構成で、モバイル制御装置１８０を使用し、パターン発生器１１０を操作できる。モバイル制御装置１８０は、例えば、リモコン、携帯用フラッシュライトのようなプログラムド装置、あるいは制御データを送るストロボライトである。ディジタル・データ・ストリームはモバイル制御装置１８０から検出器１６０に投写される。ディジタル・データ・ストリームで、一連番号の装置またはスクリーン識別子用にコマンドを配信でき、パターン発生器１１０内に望まれる機能的動作をプログラムできる。以下に、コマンドを例示する。
「Ｋｅｅｐ  ａｌｉｖｅ」（動作状態を続ける）は、パターン発生器１１０をプログラムし、所定の期間中、周期的または連続的マーキングを継続してから、終了し静止状態に入る。所定の期間とは、例えば、一定の秒数、分数、時間数、日数、週数、月数、年数である、
「Ｓｈｕｔ  ｄｏｗｎ」（停止する）は、パターン発生器１１０がマークするのを阻止し、待機状態に入る、
「Ｒｅｍｅｍｂｅｒ」（記憶する）は、「停止する」モードの間、スクリーン１０５に入射する光をパターン発生器１１０または処理装置１７０内の不揮発性メモリに記憶する、
「Ｃｈａｎｇｅ  ｌｏｃａｔｉｏｎ」（場所を変更する）は、一定の場所および／またはスクリーン識別子を、マーキング・シーケンス内に含まれるようプログラムする、および
「Ｓｅｔ  ｔｉｍｅ／ｄａｔａ」（時刻／日付を設定する）は、パターン発生器１１０の日付および時刻の設定をする。時刻および日付もマーキング・シーケンス内に含められる。
【００２１】
更に別の発明的構成で、指定されたコマンド、例えば、「情報検索」コマンド、あるいは「リフレッシュ」コマンドを受信すると、パターン発生器１１０は出力ポートを介してデータを提供できる。出力ポートは、当技術分野で知られる任意の出力ポートである。例えば、出力ポートは、シリアル・ポート、パラレル・ポート、ＲＦポート、赤外線ポート、あるいは他のタイプの通信ポートである。データは光源１５５を介して出力される。パターン発生器１１０に関連するあらゆるタイプのデータが提供される。例えば、データは、オペレーショナル・データおよび／または変則的出来事に関するデータである。変則的出来事とは、パターン発生器１１０がＡＣ電源を受けない長い期間、パターン発生器１１０が画像をスクリーン１０５に投写しない長い期間、光が検出器１６０で検出されない一定の期間（これはスクリーン照度センサの暗黒化を示す）、またはモニタできる他の出来事である。
【００２２】
図４に、識別子（またはマーキング・パターン）４１０を有する画像フレーム４００を例示する。識別子４１０は元の画像シーケンスとは別個のものである。元の画像シーケンスとは別個のものであるとは、上映される本来の画像シーケンスの供給源である蓄積媒体に識別子が含まれていないことを意味する。識別子４１０は、１個または複数個のシンボル４２０、例えば、キャラクタ、ドット、ライン、幾何学的形状、またはスクリーンに投写できる他の識別可能なシンボルである。識別子がそのコピー内に１フレームまたは複数フレームを確実にマークするのに十分長い時間、識別子はスクリーンに投写される。
【００２３】
識別子は、ビデオ上映の間、幾度も投写される。その場合、識別子は所定の間隔を置いて投写される。所定の間隔は、時間、フレームの数、場面の数により定められ、または他の方法で測定される間隔である。上映されるビデオの無許可のコピー上で識別子が読み取れない場合に、上映されるビデオ内に識別子を幾度か投写することにより、マーキング・パターンの識別が容易となる。
【００２４】
図５に、本発明を理解するのに役立つフローチャートを示す。ステップ５１０で、画像シーケンスはスクリーンに上映される。ステップ５２０で、画像シーケンスの少なくとも一部の照度および／または色調が測定される。ステップ５３０に進み、照度／色調を処理し、スクリーンに投写される識別子の輝度／色調を決定する。測定された照度／色調の情報に基づいて、識別子が投写されるスクリーン上の位置も決定される。ステップ５４０で、スクリーンの背後の位置からスクリーンを通して識別子が投写され、上映されるビデオ内に検出できるマーキング・パターンを形成する。
【００２５】
別の構成で、検出器はスクリーンの前方に配置される。これを図６に示す。図６で、検出器１６０はスクリーン１０５の前方に位置し、反射光のレベル（矢印１６５で表す）を測定する。イメージング・センサで発生されるイメージ（画像）信号を処理し、投写された画像に関する照度／色調の情報についてリアルタイムに近い空間的スクリーン・マップが、信号１３２により、プロセッサ１３０に供給される。
【００２６】
上述したマーキング・パターンはマーキング・データから発生される。海賊版からマーキング・パターンを再生する能力を高めるため、誤り訂正スキームをマーキング・パターンに使用しデータの信頼性を高める。これを図７に示す。図７は、本発明の原理により、マーキング・パターンの発生に使用するマーキング・データを例示する。マーキング・データ５０５は５バイトのデータ（バイト０〜４）から成り、ＴＩＤ０〜ＴＩＤ１３（バイト０と１）で表される１４ビット、ビットＪｕｌ０〜Ｊｕｌ８（バイト２、およびバイト３の一部）で表されるジュリアン通日（０〜３６４）、およびＴｉｍｅ０〜Ｔｉｍｅ４（バイト３の残りの部分）で表される時間単位の時刻（０〜２３）から成る、劇場ＩＤを伝達する。図７に見られるように、バイト０〜４はパリティ・ビットを含んでいる。例えば、奇数パリティ・ビットは各バイトにおける他の７ビットのＸＮＯＲ（排他的ＮＯＲ）に等しい。バイト４はＦＥＣ（ｆｏｒｗａｒｄ  ｅｒｒｏｒ  ｃｏｒｒｅｃｔｉｏｎ：フォワード誤り訂正）バイトを表し、これは他の４バイト（バイト０〜３）のＸＮＯＲとして定義される。マーキング・データは、例えば、プロセッサ１３０またはプロジェクタ１１５を介して、マーキング・パターンに変換され、各ビット値は、マーキング・パターンの画素（１画素または複数画素）の色調で表される。このコードを使用し、もし１画素（または画素のグループ）が無効とされる（例えば、のちの記録において）ならば、そのバイトは訂正される。もし１バイトが無効とされるならば、それも再生できる。本例では、単純なパリティに基づくコードを使用するが、例えば、ＢＣＨ‐コード、Ｒｅｅｄ‐Ｓｏｌｏｍｏｎコード、Ｇｏｐｐａコード、コンヴォリューショナル・コードなどの誤り訂正コードのうちの１つを当業者が使用できることは明らかである。
【００２７】
前述の事項は本発明の好ましい実施例に向けられているが、本発明の他のおよび更なる実施例は、本発明の基本的範囲から逸脱することなく創案され、その範囲は特許請求の範囲で決定される。
【図面の簡単な説明】
【００２８】
【図１】本発明を理解するのに役立つ、ビデオ投写システムである。
【図２】本発明を理解するのに役立つ、パターン発生器の発光面の正面図を示す。
【図３】本発明を理解するのに役立つ、パターン発生器の別の発光面の正面図。
【図４】マーキング・パターンが投写されている画像フレームを示す。
【図５】本発明を理解するのに役立つ、フローチャートである。
【図６】本発明の原理による、別の実施例を示す。
【図７】本発明の原理による、マーキング・データの形態を例示する。
【図１】
2007503018.tif 000003
【図２】
2007503018.tif 000004
【図３】
2007503018.tif 000005
【図４】
2007503018.tif 000006
【図５】
2007503018.tif 000007
【図６】
2007503018.tif 000008
【図７】
2007503018.tif 000009
【国際調査報告】
2007503018.tif 000010
2007503018.tif 000011
2007503018.tif 000012